(57)【特許請求の範囲】
【請求項１】
建設中の建物の周囲に組立てられた足場に当該建物の上方を覆うように切妻状に固定されたテント用シートと、
該テント用シートの両妻側の下方に所定間隔空け、段重ねして該テント用シートの勾配方向に並列するように前記足場に固定されてなる庇テントと、を具備することを特徴とする雨天養生システムであって、
前記テント用シートは、前記足場の一端側から他端側へ該テント用シートの棟方向に開閉自在であり、
前記庇テントは、前記テント用シートの開閉方向と直交する方向に前記足場に固定された支点を中心に回動自在であって、且つ、当該庇テントは、一端側がこの庇テントに回転自在に取付けられ、他端側が前記足場に回転自在に取付けられた支持部材により所定勾配に保持できるとともに、前記支点を中心に上方向に回転させて前記足場に沿わせた状態に折り畳むことができることを特徴とする雨天養生システム。
【請求項２】
前記テント用シートは、複数の横方向に長尺な可撓性のシート帯を勾配上側のシート帯の下端部が勾配下側のシート帯の上端部の上に段重ねして勾配方向に並列して配置されるようにこれらシート帯と直交し且つ所定間隔を空けて配置されている複数の固着ラインに固着し、この各シート帯を横方向に固着ラインによって区分して形成される多数のシート帯区分は隣接する２つの固着ラインに緊張して張るように固着されたシート帯緊張部と該シート帯緊張部の勾配方向の上下側において該シート帯緊張部に対して弛緩するように固着されたシート帯弛緩部とを有することにより、シート帯緊張部とシート帯弛緩部の段重ねした箇所において風抜き口が形成されていることを特徴とする請求項１に記載の雨天養生システム。
【請求項３】
前記庇テントが、前記テント用シートと同様の構成であることを特徴とする請求項１又は請求項２に記載の雨天養生システム。
【請求項４】
前記テント用シート、及び、前記庇テントの勾配面において千鳥状に、前記シート帯弛緩部が設けられたことを特徴とする請求項１から請求項３のいずれかに記載の雨天養生システム。
【請求項５】
前記テント用シート、及び、前記庇テントの少なくとも一方の前記シート帯弛緩部の裏面にネットが設けられたことを特徴とする請求項１から請求項４のいずれかに記載の雨天養生システム。
【発明の詳細な説明】
【技術分野】
【０００１】
本発明は、建築中の建物の上側を覆い、雨や太陽光等から当該建物を守るために使用される雨天養生システムに関する。
【背景技術】
【０００２】
建築現場において養生のために足場の上部等にテントを張設することや、雨や日除けのためにパイプ等で組んだ骨組みにテントを張設することは周知である。例えば、木造住宅を建築する際には、屋根が施工されるまで降雨により柱材等が濡れることを防いだり、日除けとして、建築中の建物を覆うテントが張設される。このようなテントは、足場や建物に適宜固定されて張設されているが、該テントが風を受けた場合にはその風圧が足場等に作用し、風が強い場合には足場や建物が損壊するおそれもあるので、テントを外すようにしていた。
【０００３】
これに対し、開口を設けて風を逃がすテント用シートが考案されている。例えば、図９に示すように、勾配上側のシート帯１００A，１００Bの下端部が勾配下側のシート帯１００B，１００Cの上端部の上に夫々段重ねされて勾配方向に並列して配置され、各シート帯１００と直交し且つ所定間隔を空けて配置されている複数の固着ライン１０１により、シート帯１００Bを勾配上下側に隣接するシート帯１００A，１００Cに対して弛ませることでシート帯弛緩部Ｐを形成し、また、これにより風抜き口１０２AＢ，１０２BＣが形成されるように、シート帯１００A，１００B，１００Cが固着され切妻状に足場等に固定されるテント用シート１０３である。（例えば、特許文献１参照）
【０００４】
【特許文献１】特開２００５−３３０７５６号公報
【発明の開示】
【発明が解決しようとする課題】
【０００５】
前述の発明に係るテント用シート１０３においては、風抜き口１０２AＢ，１０２BＣが設けられているので、強い風が吹いた際にもこれらから風が抜け、該テント用シート１０３を取付けている足場等への負担は小さくなっている。しかし、建設中の戸建住宅等が大きくなるにつれて、使用されるテント用シートの面積は大きくなる。そのため、前述のようにテント用シートが取付けられる足場等の負担もそれに伴い大きくなり、耐え切れなくなった足場等が損壊する、という問題が生じる可能性がある。
【０００６】
本発明は、これらの点に鑑みてなされたものであり、建築中の建物の上側を覆い、雨や太陽光等から当該建物を守るために使用される設備において、雨水が浸入することなく、吹き上げる風及び吹きつける風のいずれに対しても風を逃がすことができ、さらに、雨水が溜まることのない雨天養生システムを提供することを目的とする。
【課題を解決するための手段】
【０００７】
上記目的を達成するために、請求項１記載の雨天養生システムは、建設中の建物の周囲に組立てられた足場に当該建物の上方を覆うように切妻状に固定されたテント用シートと、該テント用シートの両妻側の下方に所定間隔空け、段重ねして該テント用シートの勾配方向に並列するように前記足場に固定されてなる庇テントと、を具備することを特徴とする雨天養生システムであって、前記テント用シートは、前記足場の一端側から他端側へ該テント用シートの棟方向に開閉自在であり、前記庇テントは、前記テント用シートの開閉方向と直交する方向に前記足場に固定された支点を中心に回動自在であって、且つ、当該庇テントは、一端側がこの庇テントに回転自在に取付けられ、他端側が前記足場に回転自在に取付けられた支持部材により所定勾配に保持できるとともに、前記支点を中心に上方向に回転させて前記足場に沿わせた状態に折り畳むことができることを特徴としている。
【００１０】
請求項２記載の雨天養生システムは、前記テント用シートは、複数の横方向に長尺な可撓性のシート帯を勾配上側のシート帯の下端部が勾配下側のシート帯の上端部の上に段重ねして勾配方向に並列して配置されるようにこれらシート帯と直交し且つ所定間隔を空けて配置されている複数の固着ラインに固着し、この各シート帯を横方向に固着ラインによって区分して形成される多数のシート帯区分は隣接する２つの固着ラインに緊張して張るように固着されたシート帯緊張部と該シート帯緊張部の勾配方向の上下側において該シート帯緊張部に対して弛緩するように固着されたシート帯弛緩部とを有することにより、シート帯緊張部とシート帯弛緩部の段重ねした箇所において風抜き口が形成されていることを特徴としている。
【００１１】
請求項３記載の雨天養生システムは、前記庇テントが、前記テント用シートと同様の構成であることを特徴としている。
【００１２】
請求項４記載の雨天養生システムは、前記テント用シート、及び、前記庇テントの勾配面において千鳥状に、前記シート帯弛緩部が設けられたことを特徴としている。
【００１３】
請求項５記載の雨天養生システムは、前記テント用シート、及び、前記庇テントの少なくとも一方の前記シート帯弛緩部の裏面にネットが設けられたことを特徴としている。
【発明の効果】
【００１４】
請求項１記載の雨天養生システムによれば、切妻状に足場に固定されたテント用シートと、該テント用シートの両妻側の下方に所定間隔空け、段重ねして勾配方向に並列するように前記足場に固定された庇テントと、を具備している。そのため、例えば建設中の建物等が大きい場合において、本発明に係る雨天養生システムを使用する際に、切妻状に固定されたテント用シートと、庇テントとの間は所定間隔空けられているので、当該間隔から風が抜けるため、これらを固定する足場にかかる負担を軽減することができ、該足場等の損壊を防ぐことができる。さらに、切妻状に固定されたテント用シートだけで、建設中の建物等を覆う場合と比較して、当該テント用シートの面積を小さくすることができ、これらを固定する足場等にかかる負担をより軽減することができる。
【００１５】
また請求項１記載の雨天養生システムによれば、前記テント用シートは前記足場の一端側から他端側へ該テント用シートの棟方向に開閉自在である。そのため、作業中に突然雨が降ってきた際にも、建物の上方を覆うようにテント用シートを素早くを広げれば、建設中の建物等が雨水に晒される心配がない。また、雨が止んだ際にも建物の上方を素早く開放することができ、すぐに作業に取りかかることができ、さらに、クレーン等も使用可能となる。
【００１６】
さらに請求項１記載の雨天養生システムによれば、前記庇テントは前記テント用シートの開閉方向と直交する方向に足場に固定された支点を中心に回動自在である。そのため、作業中に突然雨が降ってきた際にも素早く当該庇テントを設置することができ建設中の建物等が雨水に晒される心配がない。また、雨が止んだ際にも庇テントを素早く折畳むことができ、すぐに作業に取りかかることができるという利点がある。
【００１７】
請求項２記載の雨天養生システムによれば、テント用シートは、複数の横方向に長尺な可撓性のシート帯を勾配上側のシート帯の下端部が勾配下側のシート帯の上端部の上に段重ねして勾配方向に並列して配置したので、勾配に従って流れ落ちる雨水がシート帯間から内側へ浸入することがなく、且つ、シート帯緊張部とシート帯弛緩部の段重ねした箇所において風抜き口が形成されているので、吹き上げる風に対しては該シート帯と勾配下側のシート帯との間に形成された風抜き口が開口して風を逃がし、吹きつける風に対しては該シート帯と勾配上側のシート帯との間に形成された風抜き口が開口して風を逃がす。これにより、吹き上げる風及び吹きつける風のいずれに対しても風を逃がしてテント用シートに作用する風圧を軽減することができ、また、風抜き口が開口した状態でも雨水が浸入しない。
【００１８】
請求項３記載の雨天養生システムによれば、庇テントが、前記テント用シートと同様の構成である。そのため、切妻状に固定されたテント用シートだけでなく、庇テントにおいても、前述のように雨水の浸入を防ぐと共に、風の通りをよくすることができ、これらが固定される足場等にかかる負担をさらに軽減することができる。
【００１９】
請求項４記載の雨天養生システムによれば、前記テント用シート、及び、前記庇テントの勾配面において千鳥状に、前記シート帯弛緩部が設けられているので、テント用シートの全面に平均して多数の風抜き口を形成することができ、局所的に大きな風圧を受けることがない。
【００２０】
請求項５記載の雨天養生システムによれば、前記テント用シート、及び、前記庇テントの少なくとも一方の前記シート帯弛緩部の裏面にネットが設けられている。そのため、シート帯におけるシート帯弛緩部の弛みをネットが規制するため、勾配に従って流れる雨水が該シート帯弛緩部に溜まることがなく、雨水がシート帯表面をスムーズに流れる落ちる。
【発明を実施するための最良の形態】
【００２１】
この発明の雨天養生システムにおける最良の実施形態について、以下に説明する。この実施例の雨天養生システムは、図１に示すように、建設中の建物Ｈの周囲に組立てられた足場Ｕに当該建物Ｈの上方を覆うように切妻状に固定されたテント用シート１と、該テント用シート１の両妻側の下方に所定間隔空け、段重ねして勾配方向に並列するように前記足場Ｕに固定されてなる庇テントＲとを具備している。
【００２２】
そして、前記テント用シート１は、図３乃至７に示すように、複数の横方向に長尺な可撓性のシート帯２を勾配上側のシート帯２の下端部が勾配下側のシート帯２の上端部の上に段重ねして勾配方向に並列して配置されるようにこれらシート帯２と直交し且つ所定間隔を空けて配置されている複数の固着ライン３に固着し、この各シート帯２を横方向に固着ライン３によって区分して形成される多数のシート帯区分４は隣接する２つの固着ライン３に緊張して張るように固着されたシート帯緊張部５と該シート帯緊張部５の勾配方向の上下側において該シート帯緊張部５に対して弛緩するように固着されたシート帯弛緩部６とを有することにより、シート帯緊張部５とシート帯弛緩部６の段重ねした箇所において風抜き口７が形成されている。
【００２３】
図１に示すように、切妻状に形成されたテント用シート１は、複数の可撓性のシート帯２Ａ〜２Ｆ，２Ｘが一部重ねられて勾配方向に並列されており、３つのシート帯２Ａ〜２Ｃと、３つのシート帯２Ｄ〜２Ｆとが各勾配面を夫々形成するように構成され、棟に相当する中央部にシート帯２Ｘが設けられている。テント用シート１の棟に相当する中央部が足場Ｕ間に架設されたワイヤ１０ａ上に載せられて、又は、テント用シート１に設けられたハト目や布テープ等の連結部１１を介してカラビナ等で吊り下げられて、ワイヤ１０ａから各勾配面が垂れ下がるように切妻屋根状にテント用シート１が張られる。そして、軒先に相当する縁部や、固着ライン３上に適宜設けられた、ハト目や布テープ等の連結部１１にもワイヤ１０ｂが挿通されて足場Ｕや建築物（不図示）に固定されている。また、連結部１１の取付け位置や、数等はテント用シート１の大きさや形状、また、足場Ｕの大きさや形状等によって適宜変更することができる。
【００２４】
また、テント用シート１はワイヤ１０ａに対して摺動可能であり、各シート帯２Ａ〜２Ｆは可撓性であるので、テント用シート１の縁部を足場Ｕから外して該足場Ｕの一方側から他方側へテント用シート１の棟方向である、図１に示す矢印Ｍ方向に開閉することができ、当該テント用シート１で覆われていた足場Ｕの上部を開放することができる。なお、このようなテント用シート１の張設方法は一例であって、必ずしも切妻屋根状に張設する必要はなく、所定の勾配で張設するのであれば片流れ屋根や差掛け屋根のような形状にテント用シート１を張設してもよい。
【００２５】
シート帯２Ａ〜２Ｆ，２Ｘは、織布、樹脂シート若しくは織布に樹脂をコーティングしたもの等からなり、防水性を有し且つ軽量のものが好適である。本願実施例では、例えば約９００ｍｍ幅の６枚のシート帯２Ａ〜２Ｆを３枚ずつで１つの勾配面としているが、シート帯２の幅や勾配面当りのシート帯２の並列数は適宜変更することができる。また、３枚のシート帯２Ａ〜２Ｃにより構成される勾配面と、他の３枚のシート帯２Ｄ〜２Ｆにより構成される勾配面とは同様であるので、切妻屋根状に張設されるテント用シート１の片側の勾配面を構成する各シート帯２Ａ〜２Ｃを例に説明する。
【００２６】
本願実施例における各シート帯２Ａ〜２Ｃは、例えば図３に示すように、勾配方向に並列して、即ち長手方向が勾配方向と直交するようにして、勾配上側から勾配下側へシート帯２Ａ，２Ｂ，２Ｃの順序で配置されており、勾配上側のシート帯２Ａの下端部が勾配直下側のシート帯２Ｂの上端部の上に段重ねされ、該シート帯２Ｂの下端部が更に勾配直下側のシート帯２Ｃの上端部の上に段重ねされている。各シート帯２Ａ〜２Ｃの重ね代は、勾配面に従って流れ落ちる雨水が重ね合わせ部分からテント用シート１の内側へ浸入せず、且つ、風抜き口７が開口し易いように設定し、例えば本願実施例のように約９００ｍｍ幅の各シート帯２Ａ〜２Ｃであれば約３００ｍｍ程度が好適であるが、これらの重ね代は適宜変更することができる。
【００２７】
このように、各シート帯２が夫々段重ねされて勾配方向に並列に配置された各シート帯２Ａ〜２Ｃは、図２に示すように、所定間隔、例えば約９００ｍｍ間隔で、こららシート帯と直交し且つ所定間隔を空けて配置されている複数の固着ライン３に固着されることにより一体とされるが、図５に示すように、この各シート帯２を横方向に固着ライン３によって区分して形成される多数のシート帯区分４は、隣接する２つの固着ライン３に緊張して張るように固着されたシート帯緊張部５と該シート帯緊張部５の勾配方向の上下側において該シート帯緊張部５に対して弛緩するように固着されたシート帯弛緩部６とから形成されている。詳細には、図５に示すように、シート帯２Ｂの固着ライン３で挟まれたシート帯区分４２Ｂの長手方向の距離を、その勾配上側のシート帯２Ａのシート帯区分４２Ａ及び勾配下側のシート帯２Ｃのシート帯区分４２Ｃの長手方向の距離である約９００ｍｍより大きくすることでシート帯区分４２Ｂに、シート帯弛緩部６を形成している。これにより、シート帯２Ｂにおけるシート帯弛緩部６の上端部とシート帯２Ａにおけるシート帯緊張部５の下端部とを段重ねした箇所、及びシート帯２Ｂにおけるシート帯弛緩部６の下端部とシート帯２Ｃにおけるシート帯緊張部５の上端部とを段重ねした箇所に開口が形成され、該開口が夫々風抜き口７ＡＢ，７ＢＣとなっている。
【００２８】
シート帯２Ｃでは、各固着ライン間において間欠して、即ち、図３に示すように、シート帯区分４４Ｃ，４６Ｃにおいて、前記シート帯区分４２Ｃと同様のシート帯弛緩部６が設けられ、その上端部及び下端部に風抜き口７が夫々形成されている。その他のシート帯２Ａ，２Ｂでも同様のシート帯弛緩部６が設けられているが、各シート帯弛緩部６は、シート帯２Ａ〜２Ｃにより構成される勾配面において千鳥状に設けられている。即ち、シート帯２Ａでは、シート帯２Ｃと同様に、シート帯区分４２Ａ，４４Ａ，４６Ａにシート帯弛緩部６が設けられ、シート帯２Ｂでは、シート帯２Ａ，２Ｃにおいてシート帯弛緩部６が設けられない間欠部分であるシート帯区分４１Ｂ，４３Ｂ，４５Ｂ，４７Ｂにシート帯弛緩部６が設けられている。そして、各シート帯２Ａ〜２Ｃのシート帯弛緩部６における弛み部Ｙの寸法は風抜き口７とする開口の大きさを考慮して設定され、本願実施例においては、例えば約１０００ｍｍとなっているが、これらの寸法は適宜変更することができる。
【００２９】
シート帯弛緩部６の裏面には、図８に示すように、ネット８が設けられている。そして、本願実施例においてネット８は、例えば樹脂製若しくは布製からなり、その網目の大きささが例えば約１０ｍｍ角程度のネット８が好適である。さらに本願実施例においては、図８に示すネット８の弛み部Ｚは、シート帯弛緩部６における弛み部Ｙの寸法よりも若干短く、例えば、約９５０ｍｍに形成されている。そして、これらのネット８の取付け位置は風抜き口７の開口を妨げることがないように、ネット８がシート帯弛緩部６における弛み部Ｙよりも勾配下方向に設けられることが好ましい。しかし、ネット８の取付け位置及び大きさは、本願実施例に限定されるものではなく、シート帯２の大きさや、勾配等によって適宜変更することができる。
【００３０】
このように、切妻状に形成されたテント用シート１は、図３乃至図８に示すように、千鳥状にシート帯弛緩部６が形成され、各シート帯２Ａ〜２Ｃ及びネット８が各固着ライン３に縫合するようにして固着されている。そして、図には詳細に示していないが、切妻屋根状に張設されるテント用シート１の他の勾配面を構成するシート帯２Ｄ〜２Ｆも同様に、千鳥状にシート帯弛緩部６が形成され、各固着ライン３に縫合するようにして固着されている。また、各勾配面の最上側となるシート帯２Ａとシート帯２Ｄとは、図２及び図３に示すように、シート帯２Ａ，２Ｄの上端部にシート帯２Xが段重ねされて各固着ライン３に縫合するようにして固着され、１枚のテント用シート１が構成されている。なお、本願実施例では、各シート帯２Ａ〜２Ｆ，２Ｘを縫合することにより固着ライン３に縫合するようにして固着しているが、接着剤による接着や熱融着等の他の固着手段を用いてもよい。
【００３１】
そして、庇テントＲは、テント用シート１と同様の構成であり、複数の可撓性のシート帯２Ｇ〜２Ｉが一部重ねられて勾配方向に並列されるようにして形成されている。詳細な構成はネット８が設けられていないこと以外は、切妻状に形成されたテント用シート１と同様であるので省略するが、この場合にも、テント用シート１はシート帯２Ｇ〜Ｉが縫合され、前述のようにシート帯緊張部５、及びシート帯弛緩部６が形成されることで風抜き口７が形成されている。
【００３２】
庇テントＲは、図２に示すように、切妻状に形成されたテント用シート１の両妻側の下方に所定間隔空け、段重ねして勾配方向に並列して配置されている。この場合には、前述の切妻状に形成されたテント用シート１と同様にシート帯弛緩部７の裏面にネット８を設けてもよいが、本実施形態においては、庇テントＲに使用されるテント用シート１にはネット８を設けていない。これは、後述のように庇テントＲとしてテント用シート１を使用する際には枠部１２に取付けられるため、該枠部１２の剛性により庇テントＲの上面には雨水が溜まりにくくネット８を使用せずとも足場Ｕへの負担を十分に軽減できるからである。また、庇テントＲに使用されるテント用シート１の大きさや形状、及び枠部１２や、さらには足場Ｕ等への取付方法は適宜変更することができる。
【００３３】
そして、庇テントＲは、図９、及び図１０に示すように、その一辺が取付具１３を介して足場Ｕに回転自在に取付けられた略矩形の枠部１２に取付けられている。そして、一端側が前記枠部１２の勾配方向に架設される縦側片部材１４に回転自在に取付けられ、他端側が取付具１３を介して回動自在に足場Ｕに取付けられた支持部材１５によって該枠部１２は支持されている。また、支持部材１５は、図１０の２点鎖線で示されるように、一端側が足場Ｕに回転自在に取付けられた第１の支持部材１６に、縦側片部材１４に一端側が回転自在に取付けられた第２の支持部材１７を挿入するようにして構成されている。そして、第２の支持部材１７の下端部が取付具１３とが当接するまで第１の支持部材１６に挿入されることで、庇テントＲは所定勾配を保持した状態で足場Ｕに固定されている。そのため、晴天の時等、庇テントＲを使用しない場合には図１０に示す２点鎖線に示すように、足場Ｕに沿わせるように、当該庇テントＲをテント用シート１の開閉方向と直交するように折畳むことができる。また、庇テントＲの勾配は、水平方向に対して例えば２０度程度の角度で保持されていることが好ましいが、これらの角度は適宜変更することができ、また、枠部１２には、図１１に示すように、補強のためにブレース１８等を該枠部１２に設けることもできる。
【００３４】
そして、図２に示すように、切妻状に形成されたテント用シート１の妻部分と庇テントＲの端部との重なり部分１９は、例えば８００ｍｍ程度設けられていることが内部に雨水が浸入せず、効果的に風を抜くことができるので好ましいが、当該重なり部分１９の幅は適宜変更することができる。また、庇テントＲ、若しくは、切妻状に形成されたテント用シート１と、建設中の建物Ｈとの間２０は、例えば作業スペースとして少なくとも１５００ｍｍ程度確保されていることが好ましく、さらには２０００ｍｍ程度確保されていることがより好ましい。
【００３５】
以下、図５に示す、切妻状に形成され足場Ｕに固定されるシート帯区分４２Ａ，４２Ｂ，４２Ｃにおける風抜き口７ＡＢ，７ＢＣを例に、吹き上げる風及び吹きつける風の抜け方及び雨水の流れ方について説明する。
【００３６】
図５に示すように、シート帯２Ｂのシート帯区分４２Ｂにシート帯弛緩部６を形成し、シート帯２Ｂのシート帯弛緩部６の上端部と、シート帯２Ａのシート帯緊張部５の下端部との段重ねした箇所、及びシート帯２Ｂのシート帯弛緩部６の下端部と、シート帯２Ｃのシート帯緊張部５の上端部と段重ねした箇所に夫々風抜き口７ＡＢ，７ＢＣが形成されている。テント用シート１の内側から風が吹き上げた場合には、各シート帯２Ａ，２Ｂ，２Ｃが風を受けて上側へ孕もうとするが、図６に示すように、風抜き口７ＡＢは、風圧によりシート帯区分４２Ｂのシート帯２Ｂの上端部がシート帯区分４２Ａのシート帯２Ａの下端部に押し付けられるので殆ど開口しない状態となる。従って、風抜き口７ＡＢを風は殆ど通過しない。一方、風抜き口７ＢＣは、風圧によりシート帯区分４２Ｂのシート帯２Ｂの下端部が上側へ孕み、シート帯区分４２Ｃのシート帯２Ｃの上端部に対する弛み分だけ開口した状態となる。従って、テント用シート１の内側から吹き上げる風は、風抜き口７ＢＣを通過してテント用シート１の外側へ抜ける。
【００３７】
逆に、テント用シート１の外側から風が吹きつけた場合には、各シート帯２Ａ，２Ｂ，２Ｃが風を受けて下側へ孕もうとするが、図７に示すように、風抜き口７ＡＢは、風圧によりシート帯区分４２Ｂのシート帯２Ｂの上端部が下側へ孕み、シート帯区分４２Ｂのシート帯２Ａの下端部に対する弛み分だけ開口した状態となる。従って、テント用シート１の外側から吹きつける風は、風抜き口７ＡＢを通過してテント用シート１の内側へ抜ける。一方、風抜き口７ＢＣは、風圧によりシート帯区分４２Ｂのシート帯２Ｂの下端部がシート帯区分４２Ｃのシート帯２Ｃの上端部に押し付けられるので殆ど開口しない状態となる。従って、風抜き口７ＢＣを風は殆ど通過しない。このように、テント用シート１の内側から吹き上げる風に対しては風抜き口７ＢＣが開口して風を逃がし、外側から吹きつける風に対しては風抜き口７ＡＢが開口して風を逃がすので、吹き上げる風及び吹きつける風のいずれに対してもテント用シート１に作用する風圧を軽減することができる。
【００３８】
また、各シート帯２Ａ，２Ｂ，２Ｃは、勾配上側のシート帯２の下端部が勾配下側のシート帯２の上端部の上に段重ねされているので、勾配に従って流れ落ちる雨水が各シート帯２間から内側へ浸入することがない。そして、テント用シート１の内側から風が吹き上げている場合には、図６に示すように、風抜き口７ＡＢは殆ど開口していないので雨水が風抜き口７ＡＢから内側へ浸入することはなく、また、風抜き口７ＢＣは開口しているが、シート帯区分４２Ｂにおいてシート帯２Ｂの下端部は上側へ孕んでいるので、雨水は風抜き口７ＢＣの両側へ流れて風抜き口７ＢＣから内側へ浸入することもない。仮に、風抜き口７ＢＣに雨水が流れたとしても、該雨水は勾配下側のシート帯区分４２Ｃのシート帯２Ｃに受けられて、更に勾配に従って流れ落ちる。
【００３９】
一方、テント用シート１の外側から風が吹きつけている場合には、図７に示すように、風抜き口７ＡＢは開口しているが、該風抜き口７ＡＢから流れ落ちた雨水は勾配下側のシート帯区分４２Ｂのシート帯２Ｂに受けられて、更に勾配に従って流れ落ちるので、雨水が風抜き口７ＡＢから内側へ浸入することはなく、また、風抜き口７ＢＣは、殆ど開口していないので雨水が風抜き口７ＢＣから内側へ浸入することもない。このように、吹き上げる風又は吹きつける風により風抜き口７ＡＢ，７ＢＣが開口した状態であっても、雨水がテント用シート１の内側へ浸入することはない。
【００４０】
さらに、図８に示すように、シート帯弛緩部６の裏面にネット８が設けられているため、ネット８がシート帯２におけるシート帯弛緩部６の弛みを規制し、勾配に従って流れる雨水Wが、その途中で該シート帯弛緩部６に溜まることなくスムーズに流れ落ちる。これにより、溜まった雨水Ｗを作業者が、自ら取除く必要がないと共に、溜まった雨水Ｗの重さに耐えることができなくなったシート帯２が破損する、さらには、テント用シート１を取付けた足場Ｕが損壊する、という問題が生じることがない。
【００４１】
他の風抜き口７についても同様なので詳細には説明しないが、テント用シート１の各勾配面においてシート帯区分４に千鳥状にシート帯弛緩部６が設けられることにより、各勾配面の全面に平均して多数の風抜き口７が形成されているので、局所的な風圧を受けることがなく、吹き上げる風又は吹きつける風のいずれに対してもテント用シート１の全面から風を逃がすことができる。なお、庇テントＲと、テント用シート１とは、ネット８の有無以外は同様の構成であり、これらの風抜き口７についても同様であるので詳細には説明しないが、吹き上げる風又は吹きつける風のいずれに対しても当該庇テントＲの全面から風を逃がすことができるのは勿論である。
【００４２】
切妻状に足場Ｕに固定されたテント用シート１と庇テントＲの間の風の通り方を以下に示す。
【００４３】
図２に示すように、切妻状に形成されたテント用シート１と、庇テントＲとの間には間隔２１が設けられているので、吹き上げる風が吹いた際には、矢印Ｓに示すように、当該間隔２１を通って風が抜け、吹きつける風が吹いた際には、矢印Ｔに示すように、当該間隔２１を通って風が抜けるのである。そのため、前述したように、テント用シート１、及び庇テントＲに形成された風抜き口７から風が吹き抜けるという効果に加えて、間隔２１から風が吹き抜けるので足場Ｕへの負担を軽減できる。
【産業上の利用可能性】
【００４４】
なお、本実施の形態では、テント用シート１、及び庇テントＲから構成される雨天養生システムを住宅建築の養生用として使用する場合を例に説明したが、本発明に係る雨天養生システムが養生以外の用途にも使用可能であることは当然である。また、本実施の形態では、風抜き口７を勾配面において千鳥状に形成したが、テント用シート１、及び庇テントＲの使用目的に応じて風抜き口７を形成する箇所や数を適宜変更できることも当然である。
【図面の簡単な説明】
【００４５】
【図１】実施形態に係る雨天養生システムの概略図
【図２】実施形態に係る雨天養生システムの側面図
【図３】実施形態に係るテント用シートの一方の勾配面の構成を示す表面図
【図４】実施形態に係るテント用シートの一方の勾配面の構成を示す裏面図
【図５】実施形態に係るテント用シートの固着ライン間の風抜き口を示す斜視図
【図６】実施形態に係るテント用シートの吹き上げる風を受けた場合の風抜き口を示す斜視図
【図７】実施形態に係るテント用シートの吹きつける風を受けた場合の風抜き口を示す斜視図
【図８】実施形態に係るテント用シートの裏側からの斜視図
【図９】枠部に庇テントが取付けられた状態を示す図
【図１０】実施形態に係る庇テントの側面図
【図１１】他の実施形態に係る枠部の上視図
【図１２】従来技術に係るテント用シートの斜視図
【符号の説明】
【００４６】
１        テント用シート
２        シート帯
３        固着ライン
４        シート帯区分
５        シート帯緊張部
６        シート帯弛緩部
７        風抜き口
８        ネット
Ｙ        弛み部
Ｒ        庇テント
Ｕ        足場
Ｈ        建物
【図１】
0004893548.tif 000002
【図２】
0004893548.tif 000003
【図３】
0004893548.tif 000004
【図４】
0004893548.tif 000005
【図５】
0004893548.tif 000006
【図６】
0004893548.tif 000007
【図７】
0004893548.tif 000008
【図８】
0004893548.tif 000009
【図９】
0004893548.tif 000010
【図１０】
0004893548.tif 000011
【図１１】
0004893548.tif 000012
【図１２】
0004893548.tif 000013